(57)【要約】【課題】不要な切替報告をなくすとともに、ネットワークの保守者が現在の切替状態を正確に把握することのできる光信号処理装置を提供する。【解決手段】ラインＬ１、Ｌ２のいずれかを介した受信経路を選択する切替部２２と、切替部２２における切り替えを制御する切替制御処理部１４と、供給された切替状態を上位の装置に報告するアラーム収集／制御部１９とを有する。切替制御処理部１４は、切替部２２によって受信経路が切り替えられると、０からカウントを開始するタイマー部３３と、タイマー部３３がカウントアップする時間未満の間隔で受信経路の切り替えが連続して行われる状態の継続時間を計測するタイマー部３２と、これらタイマー部のいずれかがカウントアップした場合にのみ、切替部２２による現在の切替状態を保持するとともにその保持した切替状態をアラーム収集／制御部１９に供給する切替状態保持部３５とを有する。【選択図】  図３
2004343503.tif 000002
【特許請求の範囲】
【請求項１】
現用系通信路と予備系通信路のいずれかの通信路を介した受信経路を選択する切替部と、
前記切替部における受信経路の切り替えを制御する切替制御処理部と、
供給された切替状態を上位の装置に報告するアラーム収集／制御部とを有し、
前記切替制御処理部は、
前記切替部によって受信経路が切り替えられると、０からカウントを開始する第１のタイマー部と、
前記切替部による受信経路の切り替えが前記第１のタイマー部がカウントアップする時間未満の間隔で連続して行われる状態の継続時間を計測する第２のタイマー部と、
前記第１および第２のタイマー部のいずれかがカウントアップした場合にのみ、前記切替部による現在の切替状態を保持するとともにその保持した切替状態を前記アラーム収集／制御部に供給する切替状態保持部とを有することを特徴とする光信号処理装置。
【請求項２】
前記現用系通信路を介して受信される特定の信号に基づいて、前記受信経路上における異常の発生を検出する第１の検出部と、
前記予備系通信路を介して受信される特定の信号に基づいて、前記受信経路上における異常の発生を検出する第２の検出部とをさらに有し、
前記切替制御処理部は、
前記切替部にて前記現用系通信路側が選択されている状態で、前記第１の検出部により異常が検出されると、前記切替部に対して前記予備系通信路側への切り替えを指示し、前記切替部にて前記予備系通信路側が選択されている状態で、前記第２の検出部により異常が検出されると、前記切替部に対して前記現用系通信路側への切り替えを指示する切替制御部と、
前記切替部にて前記現用系通信路側が選択されている状態で、前記第２の検出部により異常が検出された後に前記第１の検出部により異常が検出された場合、または、前記切替部にて前記予備系通信路側が選択されている状態で、前記第１の検出部により異常が検出された後に前記第２の検出部により異常が検出された場合に、前記第１のタイマー部がカウントアップすると、前記切替状態保持部に保持されている切替状態に切り戻すように前記切替制御部に対して指示する切戻制御部とを有し、
前記切替制御部は、前記切戻制御部からの指示に従って前記切替部に対して切り戻しを指示することを特徴とする請求項１に記載の光信号処理装置。
【請求項３】
請求項１または２に記載の光信号処理装置を複数有し、該複数の光信号処理装置は、現用系通信路と予備系通信路からなる冗長構造を有するリング伝送路を介して相互通信可能に接続されるとともに、いずれかの光信号処理装置から送出された切替状態が上位の装置へ供給されるように構成されていることを特徴とする光伝送システム。
【請求項４】
現用系通信路と予備系通信路のいずれかの通信路を介した受信経路を選択する切替部を有する光信号処理装置において行われる切替報告制限方法であって、
前記切替部によって受信経路が切り替えられると、該切り替えからの経過時間を計測し、該計測した経過時間が第１の所定の時間に達するまで前記切替部によって次回の受信経路の切り替えが行われなかった場合に、現在の切替状態を上位の装置へ報告するステップと、
前記切替部による受信経路の切り替えが前記第１の所定の時間未満の間隔で連続して行われる状態の継続時間を計測し、該計測した継続時間が前記第１の所定の時間より長い第２の所定の時間に達すると、現在の切替状態を上位の装置へ報告するステップとを含む切替報告制限方法。
【請求項５】
前記光信号処理装置は、前記現用系通信路を介して受信される特定の信号に基づいて、前記受信経路上における異常の発生を検出する第１の検出部と、前記予備系通信路を介して受信される特定の信号に基づいて、前記受信経路上における異常の発生を検出する第２の検出部とを有し、
前記現用系通信路側が選択されている状態で、前記第１の検出部により異常が検出されると、前記予備系通信路側へ切り替える第１のステップと、
前記予備系通信路側が選択されている状態で、前記第２の検出部により異常が検出されると、前記現用系通信路側へ切り替えるステップと、
前記現用系通信路側が選択されている状態で、前記第２の検出部により異常が検出された後に前記第１の検出部により異常が検出されて、前記第１のステップにより前記予備系通信路側へ切り替えられた場合に、所定の時間経過後に、前記現用系通信路側へ切り戻す第３のステップと、
前記予備系通信路側が選択されている状態で、前記第１の検出部により異常が検出された後に前記第２の検出部により異常が検出されて、前記第２のステップにより前記現用系通信路側へ切り替えられた場合に、所定の時間経過後に、前記予備系通信路側へ切り戻す第４のステップとをさらに含むことを特徴とする請求項４に記載の切替報告制限方法。
【発明の詳細な説明】
【０００１】
【発明の属する技術分野】
本発明は、光ファイバを用いた高速デジタル通信方式、特にＳＯＮＥＴ／ＳＤＨ（Ｓｙｎｃｈｒｏｎｏｕｓ  Ｏｐｔｉｃａｌ  Ｎｅｔｗｏｒｋ  ／  Ｓｙｎｃｈｒｏｎｏｕｓ  Ｄｉｇｉｔａｌ  Ｈｉｅｒａｒｃｈｙ）伝送方式の光信号処理装置およびその切替報告制限方法ならびにそのような光信号処理装置を備える光伝送システムに関する。
【０００２】
【従来の技術】
ＳＯＮＥＴ／ＳＤＨ伝送方式のネットワーク形態の１つとして、リング形ネットワークがある。このリング形ネットワークは、各局間が光ファイバよりなるリング伝送路によって接続された構成になっており、各局には、リング伝送路上へ信号を多重化して挿入したり、リング伝送路上から信号を分離（分岐）したりする、ＡＤＭ（Ａｄｄ／Ｄｒｏｐ  Ｍｕｌｔｉｐｌｅｘｅｒ）と呼ばれる装置が設けられる。各局間を接続するリング伝送路は、リング内の通信が不通にならないように、現用系通信路と予備系通信路からなる冗長構造になっている。
【０００３】
リング形ネットワークでは、現用系通信路に故障が発生した場合には、通信路が自動的に予備系通信路に切り替えられる。この通信路の切り替えは、ＡＤＭにおいて自律的に行われる。通常、送信側のＡＤＭが、現用系通信路および予備系通信路の双方に同一信号を送出し、受信側のＡＤＭが、遅延調整を行って情報の損失および重複を伴わずに通信路を現用系から予備系へ選択的に切り替える、といった無瞬断切替が行われる。
【０００４】
リング形ネットワークの形態の一例として、例えば特許文献１に記載のＲＩＮＧ構成がある。このＲＩＮＧ構成は、図８に示すように、４つのＡＤＭ１００、２００、３００、４００を有し、各ＡＤＭが時計回り方向に信号が転送される第１の光ファイバケーブル（パスＡ（Ｅ側ルート））と反時計回り方向に信号が転送される第２の光ファイバケーブル（パスＢ（Ｗ側ルート））とからなるリング伝送路により接続されている。各ＡＤＭは、常にパスＡ、Ｂの回線の状態を監視し、良好な回線を選択する。具体的には、パスＡ側に警報が発生した場合には、通信路をパスＢ側に切り替える。パスＡ側の警報が消えて正常な状態に戻ると、カウントを開始し、そのカウント値が予め設定された上限値に達すると、通信路をパスＡ側に切り戻す。ただし、カウント値が上限値に達する前に、パスＡ側に次の警報が発生した場合には、カウント値がリセットされ、その警報が消えて正常な状態に戻った時点からカウントが再開される。
【０００５】
上記の他、特許文献２には、リング形ネットワークの形態において、ＡＤＭが、自身より下流のＡＤＭに対して、上流で異常が発生していることを示すＡＩＳ（Ａｌａｒｍ  Ｉｎｄｉｃａｔｉｏｎ  Ｓｉｇｎａｌ）などを含む警報セルを現用系通信路および予備系通信路の双方を用いて転送し、下流のＡＤＭが、現用系通信路および予備系通信路において受信される各ＡＩＳの時間差が所定期間を超える場合にのみ通信路の切り替えを行うものが開示されている。
【０００６】
【特許文献１】
特開平６−３２６７２２号公報
【特許文献２】
特開２００１−１１１５６０号公報
【０００７】
【発明が解決しようとする課題】
上述したリング形ネットワークの形態において、ＡＤＭが、自身より下流のＡＤＭに対してＡＩＳを現用系通信路および予備系通信路の双方を用いて転送する場合は、下流のＡＤＭは、現在選択している側の通信路を介して先にＡＩＳを受信すると、通信路をもう一方の通信路に切り替え、その後、もう一方の通信路を介してＡＩＳを受信すると、通信路を元の通信路に切り戻す、といった動作が行われる。そして、これら切り替え、切り戻しの動作の度に、上位の装置へ現状の切替状態を報告するようになっている。しかしながら、この場合、実際の障害が発生した箇所が上流のＡＤＭとその上位の装置との間の通信路であっても、下流のＡＤＭでは切り替え、切り戻しの動作が行われて本来不要な切替状態の報告が行われることになる。
【０００８】
特許文献２に記載のものでは、現用系通信路および予備系通信路において受信される警報セルの受信時間差が所定期間を超える場合にのみ通信路の切り替えが行われるため、上記のような不要な切替状態の報告は行われない。しかし、この場合は、現用系通信路および予備系通信路の双方において、例えば光ファイバの曲がりが急になることで生じる光入力瞬断による障害の発生が断続的に継続した場合に、障害が発生する度に通信路の切り替えが行われて切替状態が報告される。このような切替動作（チャタリング）における切替報告は、本来不要である。
【０００９】
特許文献１に記載のものでは、Ｅ側に警報が発生して、パスＡからパスＢへ切り替わった後に、警報が消えて正常な状態になると、警報復旧信号が送出される。そして、この警報復旧信号をトリガにしてカウントが開始され、カウントアップ前に次の警報が発生した場合は、カウント値がリセットされてカウントが再開され、カウントアップした場合には、パスＢからパスＡへ切り戻すようになっている。この動作によれば、上記の切替動作（チャタリング）における切替報告の問題を解消することができる。しかしながら、警報の発生から次回の警報の発生までの時間がカウントアップに要する時間未満であると、切替状態の報告がいつまでも行われないため、ネットワークの保守者は、現在の切替状態を正確に把握することができない、といった問題を生じる。
【００１０】
本発明の目的は、光入力瞬断により生じるチャタリングのような無駄な切替動作において頻繁に行われる不要な切替報告をなくすとともに、ネットワークの保守者が現在の切替状態を正確に把握することのできる、信頼性の高い光信号処理装置、光伝送システムおよびその切替報告制限方法を提供することにある。
【００１１】
【課題を解決するための手段】
上記目的を達成するため、本発明の光信号処理装置は、
現用系通信路と予備系通信路のいずれかの通信路を介した受信経路を選択する切替部と、
前記切替部における受信経路の切り替えを制御する切替制御処理部と、
供給された切替状態を上位の装置に報告するアラーム収集／制御部とを有し、
前記切替制御処理部は、
前記切替部によって受信経路が切り替えられると、０からカウントを開始する第１のタイマー部と、
前記切替部による受信経路の切り替えが前記第１のタイマー部がカウントアップする時間未満の間隔で連続して行われる状態の継続時間を計測する第２のタイマー部と、
前記第１および第２のタイマー部のいずれかがカウントアップした場合にのみ、前記切替部による現在の切替状態を保持するとともにその保持した切替状態を前記アラーム収集／制御部に供給する切替状態保持部とを有する。
【００１２】
上記の構成によれば、第１のタイマー部がカウントアップするまで切替状態の報告はなされない。この第１のタイマー部がカウントアップするのに要する時間は、同一のＡＩＳを現用系通信路および予備系通信路の双方で受信して切り替え、切り戻しの動作を行った場合の、その切り替えから切り戻しまでの間隔に比べて十分に長く設定される。よって、従来生じていたような、切り替え、切り戻しの動作に伴う頻繁な切替報告が行われることはない。
【００１３】
また、切替部による受信経路の切り替えが第１のタイマー部がカウントアップする時間未満の間隔で連続して行われる状態が継続した場合には、その継続時間が第２のタイマー部により計測され、第２のタイマー部がカウントアップした場合に、切替状態の報告がなされる。よって、従来生じていたような、切替状態の報告がいつまでも行われない、といった問題は生じない。
【００１４】
本発明の光伝送システムは、上述した光信号処理装置を複数有し、該複数の光信号処理装置は、現用系通信路と予備系通信路からなる冗長構造を有するリング伝送路を介して相互通信可能に接続されるとともに、いずれかの光信号処理装置から送出された切替状態が上位の装置へ供給されるように構成されている。この構成によれば、上述した本発明の光信号処理装置における作用により、従来生じていた問題は生じない。
【００１５】
本発明の切替報告制限方法は、現用系通信路と予備系通信路のいずれかの通信路を介した受信経路を選択する切替部を有する光信号処理装置において行われる切替報告制限方法であって、前記切替部によって受信経路が切り替えられると、該切り替えからの経過時間を計測し、該計測した経過時間が第１の所定の時間に達するまで前記切替部によって次回の受信経路の切り替えが行われなかった場合に、現在の切替状態を上位の装置へ報告するステップと、前記切替部による受信経路の切り替えが前記第１の所定の時間未満の間隔で連続して行われる状態の継続時間を計測し、該計測した継続時間が前記第１の所定の時間より長い第２の所定の時間に達すると、現在の切替状態を上位の装置へ報告するステップとを含む。この方法においても、上述した本発明の光信号処理装置の場合と同じ作用を奏する。
【００１６】
【発明の実施の形態】
次に、本発明の実施形態について図面を参照して説明する。
【００１７】
図１は、本発明の一実施形態である光伝送システムの概略構成を示すブロック図である。この光伝送システムは、リング形ネットワークのものであって、光ファイバよりなるリング伝送路６を介して相互に通信可能に接続された光信号処理装置３、４を有する。
【００１８】
リング伝送路６は、反時計回り方向に信号が伝送されるラインＬ１と時計回り方向に信号が伝送されるラインＬ２との２つのラインからなる冗長構造になっている。リング伝送路６のうち、光信号処理装置３のラインＬ１を介して光信号を受信する側（ラインＬ１入力側）と光信号処理装置４のラインＬ２を介して光信号を受信する側（ラインＬ２入力側）とを接続する伝送路６ａは、光信号処理装置３のラインＬ２を介して光信号を受信する側（ラインＬ２入力側）と光信号処理装置４のラインＬ１を介して光信号を受信する側（ラインＬ１入力側）とを接続する伝送路６ｂより長い。
【００１９】
光信号処理装置３は光信号処理装置１と、光信号処理装置４は光信号処理装置２とそれぞれ０系および１系の２系統の伝送経路を介して接続されている。光信号処理装置１、３が第１の局舎内に配置され、光信号処理装置２、４が第２の局舎内に配置され、これら局舎間がリング伝送路６で接続されている。光信号処理装置１、３の間および光信号処理装置２、４の間は、いずれも同一局舎内への設置を想定しているため、リング伝送路６のような伝送路ではなく、単に光信号の送受信が可能な伝送路が使用される。
【００２０】
光信号処理装置１〜４は、例えばＡＤＭに代表される多重化装置であって、基本的には同じ構成のものである。各光信号処理装置間の信号伝送には、時分割多重したデータを複数の伝送フレームからなるマルチフレームとして送信する周知の同期多重化方式が用いられる。マルチフレームは、通常、運用保守情報の転送に用いられるオーバーヘッド部を有する。オーバーヘッド部は、フレーム同期、誤り監視、警報転送などを行うためのＳＯＨ（Ｓｅｃｔｉｏｎ  Ｏｖｅｒｈｅａｄ）と呼ばれる情報バイトを含む。光信号処理装置は、受信したマルチフレームのＳＯＨの内容を参照するとことで受信信号のビットエラーの頻度を調べることができ、そのビットエラーの頻度が多い場合には受信経路に障害が発生していると判断して自律的に無瞬断切替を行う。
【００２１】
また、通信経路上の上流で異常が発生した場合には、上流に位置する光信号処理装置から下流に位置する光信号処理装置に対して、上流で異常が発生していることを示すＡＩＳが転送されるようになっており、ＡＩＳを受信した光信号処理装置では、自律的に無瞬断切替が行われる。
【００２２】
図２に、無瞬断切替機能を備える光信号処理装置の一構成例を示す。この図２に示す構成は、図１に示す光信号処理装置３、４の構成であって、光信号処理部１０、１１、２４、クロスコネクト部１２、１３、誤り検出部１５、１６、マルチフレーム検出部１７、１８、メモリ部２０、２１、切替部２２、切替制御部１４、およびアラーム収集／制御部１９を有する。
【００２３】
ラインＬ１入力側に、光信号処理部１０、クロスコネクト部１２、誤り検出部１５、マルチフレーム検出部１７およびメモリ部２０が順次配置され、ラインＬ２入力側に、光信号処理部１１、クロスコネクト部１３、誤り検出部１６、マルチフレーム検出部１８およびメモリ部２１が順次配置されており、これらは冗長構造になっている。
【００２４】
光信号処理部１０は、ラインＬ１を介して光信号を受信し、該受信した光信号に光−電気変換およびＳＯＨ処理（オーバーヘッド部のＳＯＨの情報バイトに関する、値の書き込みおよび読み出し、演算などの処理）を行う。光信号処理部１０の出力は、クロスコネクト部１２に供給されている。クロスコネクト部１２は、光信号処理部１０から供給された信号を多重分離し、特定のタイムスロットの信号を出力する。このクロスコネクト部１２の出力は、誤り検出部１５、マルチフレーム検出部１７およびメモリ部２０にそれぞれ供給されている。
【００２５】
誤り検出部１５は、クロスコネクト部１２から出力される信号からＡＩＳが検出されるかどうかで誤り検出を行うようになっており、ＡＩＳが検出された場合は、「誤り検出」状態である旨の検出結果を、ＡＩＳが検出されない場合は、「正常」状態である旨の検出結果を切替制御処理部１４に供給する。マルチフレーム検出部１７は、クロスコネクト部１２から出力された信号からマルチフレームを検出し、メモリ部２０に対して、切替部２２へデータを出力するためのタイミング信号を供給する。メモリ部２０は、クロスコネクト部１２から出力された信号を一旦格納した後、その格納した信号をマルチフレーム検出部１７から供給されるタイミング信号に基づいて切替部２２に出力する。
【００２６】
ラインＬ２入力側の光信号処理部１１、クロスコネクト部１３、誤り検出部１６、マルチフレーム検出部１８およびメモリ部２１も、ラインＬ１入力側のものと全く同じ機能を有する。
【００２７】
切替部２２は、切替制御処理部１４からの切替制御指示に従って、メモリ部２０、２１の出力のいずれかを選択して光信号処理部２４に供給する。切替制御処理部１４は、誤り検出部１５からラインＬ１入力側の誤り検出結果が、誤り検出部１６からラインＬ２入力側の誤り検出結果がそれぞれ供給されており、これら誤り検出結果に基づいて切替部２２にて現在選択されているライン側の信号に誤りを生じたどうかを判断し、誤りを生じたと判断した場合には、もう一方のラインに切り替えるための切替制御信号を切替部２２に供給する。また、切替制御処理部１４は、切替制御信号を切替部２２に供給してラインの切り替えを行わせた場合は、その切替状態をアラーム収集／制御部１９に出力する。アラーム収集／制御部１９は、切替制御処理部１４から入力された切替状態を図１に示した監視制御装置５に出力する。
【００２８】
光信号処理部２４は、メモリ部２０、２１の出力信号のうち切替部２２にて選択された出力信号にＳＯＨ処理および電気−光変換を行って他の装置（図１の光信号処理装置１、２）に送信する。また、光信号処理部２４は、他の装置（図１の光信号処理装置１、２）から光信号を受信し、該受信した光信号に光−電気変換およびＳＯＨ処理を行ってクロスコネクト部１２、１３にそれぞれ供給する。
【００２９】
クロスコネクト部１２は、光信号処理部２４から供給された信号を多重して光信号処理部１０に供給し、クロスコネクト部１３は、光信号処理部２４から供給された信号を多重して光信号処理部１１に供給する。光信号処理部１０は、クロスコネクト部１２から供給された信号にＳＯＨ処理および電気−光変換を行ってラインＬ１入力側に接続されたラインＬ２上に送出する。光信号処理部１１は、クロスコネクト部１３から供給された信号にＳＯＨ処理および電気−光変換を行ってラインＬ２入力側に接続されたラインＬ１上に送出する。
【００３０】
上述した無瞬断切替機能を備える光信号処理装置では、例えば切替部２２にてメモリ部２０の出力信号が選択されている状態で、誤り検出部１５が、クロスコネクト部１２から出力される信号からＡＩＳを検出して、「誤り検出」状態である旨の検出結果を切替制御処理部１４に供給すると、切替制御処理部１４が、その供給された検出結果から、切替部２２にて現在選択されているライン側に異常が発生したと判断し、切替部２２に対して、もう一方のメモリ部２１の出力信号を選択するように切替制御信号を供給する。切替部２２は、切替制御処理部１４からの切替制御信号に従って、メモリ部２１の出力信号を選択して光信号処理部２４に供給する。メモリ部２０、２１の出力信号はマルチフレーム同期が確立されているため、切替部２２では、瞬断の無い切り替えが行われる。
【００３１】
また、切替制御処理部１４は、切替制御信号を切替部２２に供給してラインの切り替えを行わせると同時に、その切替状態をアラーム収集／制御部１９に出力する。アラーム収集／制御部１９は、切替制御処理部１４から入力された切替状態を上位の装置である監視制御装置５に報告する。
【００３２】
上述した切り替え動作を図１に示した光伝送システムにそのまま適用すると、本来報告不要である切替状態が監視制御装置５に報告されてしまうことになる。本来報告不要である切替状態について、図１を参照して具体的に説明する。
【００３３】
光信号処理装置１、３の間は０系の経路を、光信号処理装置３、４の間は伝送路６ｂを、光信号処理装置２、４の間は０系の経路をそれぞれ経由して信号が伝送される場合を考える。光信号処理装置１、３間の０系の経路に障害が発生した場合、光信号処理装置３はその障害を検出して、伝送路６ａのラインＬ２および伝送路６ｂのラインＬ１の双方にＡＩＳを送出した後、入力信号を１系信号に切り替えて、１系信号を伝送路６ａのラインＬ２および伝送路６ｂのラインＬ１の双方に送出する。
【００３４】
伝送路６ｂの伝送路長は伝送路６ａより短いため、ラインＬ１上に送出されたＡＩＳがラインＬ２上に送出されたＡＩＳより先に光信号処理装置４に到達する。このため、光信号処理装置４では、まず、伝送路６ｂのラインＬ１を介してＡＩＳが受信され、伝送路６ａのラインＬ２側からの信号を選択するように切り替えられる。この切り替えの後、伝送路６ａのラインＬ２を介してＡＩＳが受信されると、今度は、伝送路６ｂのラインＬ１側からの信号を選択するように切り替えられる（切り戻し）。こうした切り替えおよび切り戻しの動作は、無瞬断にて行われるため、光信号処理装置３からの１系信号は、瞬断および信号誤りを生じることなく光信号処理装置２に到達することになるが、伝送路６ａ、６ｂのいずれにも障害が発生していないにも関らず、切り替えおよび切り戻しの動作のそれぞれにおいて、切替状態が光信号処理装置４から光信号処理装置３を介して監視制御装置５に報告されてしまう。このような切り替えおよび切り戻しの動作に伴う切替状態の報告は不要である。
【００３５】
そこで、本実施形態では、図２に示した切替制御処理部１４が、上述の切り替えおよび切り戻しの動作に伴う切替状態の報告を行わないように構成されている。図３に、その切替制御処理部１４の具体的な構成を示す。
【００３６】
図３を参照すると、切替制御処理部１４は、発振器３０、ラインＬ１状態変化保持部３１、ラインＬ２状態変化保持部３４、タイマー部３２、３３、切替状態保持部３５、切替制御部３６を有する。
【００３７】
ラインＬ１状態変化保持部３１は、誤り検出部１５（図２参照）から入力される誤り検出結果が「正常」状態から「誤り検出」状態に遷移した場合、または、「誤り検出」状態から「正常」状態に遷移した場合は、「１」を保持し、タイマー部３２、３３のいずれかにおいてカウント値が予め設定された上限値に達すると「０」を保持する。ラインＬ２状態変化保持部３２は、誤り検出部１６（図２参照）から入力される誤り検出結果が「正常」状態から「誤り検出」状態に遷移した場合、または、「誤り検出」状態から「正常」状態に遷移した場合に、「１」を保持し、タイマー部３２、３３のいずれかにおいてカウント値が予め設定された上限値に達すると「０」を保持する。
【００３８】
切替制御部３６は、誤り検出部１５、１６から出力される誤り検出結果に基づいて、現在選択しているライン側が「誤り検出」状態で、かつ、他方のライン側が「正常」状態である場合に、切替部２２に対して他方のラインを選択する旨の切替制御信号を出力する。この切替制御信号は、切替状態保持部３５にも供給される。
【００３９】
発振器３０は、一定周期のクロック信号を出力する既存の発振器である。この発振器３０の出力は、タイマー部３２、３３にそれぞれ供給されている。タイマー部３３は、ラインＬ１状態変化保持部３１またはラインＬ２状態変化保持部３４のどちらかの出力が「０」から「１」に変化すると、タイマーが起動され、発振器３０からのクロック信号を基準とする一定周期の信号によりカウントアップされる。また、タイマー部３３は、カウント中に切替制御部３６から切替制御信号が出力された場合は、タイマーを再起動させる。さらに、タイマー部３３は、ラインＬ１状態変化保持部３１およびラインＬ２状態変化保持部３４の出力がともに「０」になった場合は、カウント値が「０」に戻り、その動作を停止する。タイマー部３２は、タイマー部３３が稼動中はタイマーが起動されて、発振器３０からのクック信号によりカウントアップされ、タイマー部３３が停止すると、カウント値が０に戻され、その動作を停止する。これらタイマー部３２、３３は、カウント値の上限値が適宜設定されており、カウント値が上限値に達すると「０」に戻るようになっている。
【００４０】
切替状態保持部３５は、各タイマー部３２、３３のどちらか一方のタイマーのカウント値があらかじめ設定された上限値に到達すると、切替制御部３６から供給された切替制御信号から切替部２２における現在の切替状態を判断してそれを保持し、その保持した切替状態をアラーム収集／制御部１９に出力する。
【００４１】
次に、上述した切替制御処理部１４による切替状態の報告の制限について具体的に説明する。この切替制御処理部１４による切替状態の報告は、タイマー部３２、３３のいずれかのタイマーのカウント値が上限値に達した場合に行われる。
【００４２】
（１）タイマー部３３のカウント値が上限値に達する場合の動作：
図４は、タイマー部３３のカウント値が上限値に達する場合の動作を説明するためのタイムチャートである。以下、図１〜４を参照して動作を説明する。
【００４３】
光信号処理装置１の現在選択している側の系で障害が発生し、光信号処理装置３が伝送路６ａのラインＬ２および伝送路６ｂのラインＬ１の双方にＡＩＳを出力すると、光信号処理装置４では、以下のような手順でラインの切り替えが行われて切替制御処理部１４によって切替状態が報告される。
【００４４】
まず、伝送路長が相対的に短いラインＬ１側に先にＡＩＳが到達する。ラインＬ１側にＡＩＳが到達すると、誤り検出部１５から出力される誤り検出結果が「正常」状態から「誤り検出」状態へ遷移し、切替制御部３６が、切替部２２に対してラインＬ２側に切り替えるよう切替制御信号を出力する。同時に、ラインＬ１状態変化保持部３１にて保持されている値が「０」から「１」に変化し、タイマー部３３が起動する。タイマー部３３が起動すると、タイマー部３２が起動し、そのカウント動作はタイマー部３３が停止するまで行われる。
【００４５】
続いて、相対的に経路長が長いラインＬ２側にＡＩＳが到達する。ラインＬ２側にＡＩＳが到達すると、誤り検出部１６から出力される誤り検出結果が「正常」状態から「誤り検出」状態へ遷移し、切替制御部３６が、切替部２２に対してラインＬ１側に切り替えるよう切替制御信号を出力する同時に、タイマー部３３が再起動する。このタイマー部３３の再起動は、稼動状態からの再起動であり、カウント値が「０」に戻るだけで、タイマー部３３は停止することなく稼動状態を維持する。
【００４６】
タイマー部３３の再起動後、カウント値が上限値に達すると、ラインＬ１状態変化保持部３１およびラインＬ２状態変化保持部３２がともに「０」を保持するとともに、切替状態保持部３５が、切替部２２による現在の切替状態を保持し、その保持した切替状態をアラーム収集／制御部１９に出力する。同時に、タイマー部３３が動作を停止し、そのカウント値が「０」に戻る。タイマー部３３の動作が停止すると、タイマー部３２も動作を停止し、そのカウント値が「０」に戻る。
【００４７】
以上の動作により、光信号処理装置４では、ラインＬ２側への切り替え動作およびラインＬ１側への切り戻し動作に伴う監視制御装置５への切替状態の報告が行われなくなる。
【００４８】
（２）タイマー部３２のカウント値が上限値に達する場合の動作：
図５は、タイマー部３２のカウント値が上限値に達する場合の動作を説明するためのタイムチャートである。以下、図１〜３および図５を参照して光信号処理装置４における切替制御処理部１４の動作を説明する。
【００４９】
図５の例は、伝送路６ａ、６ｂの双方において、光入力瞬断による障害の発生が断続的に継続した場合の、切替制御処理部１４における動作を示したものである。ここでは、誤り検出部１５は、クロスコネクト部１２から出力される信号（マルチフレーム）のＳＯＨの内容から受信信号のビットエラーの頻度を調べることで、ラインＬ１、Ｌ２における光入力瞬断による障害の発生を検出するようになっている。具体的には、誤り検出部１５は、ビットエラーの頻度が規定値を超えた場合に、「誤り検出」状態である旨の検出結果を、ビットエラーの頻度が規定値以下の場合に、「正常」状態である旨の検出結果を切替制御処理部１４に供給する。誤り検出部１６も同様の動作を行う。また、切替制御部３６は、現在選択されているライン側でのみ「誤り検出」状態となった場合は、他方のライン側への切り替えを行い、両方のラインで「誤り検出」状態となった場合は、切り替えは行わずに現在の切替状態を保持するものとする。
【００５０】
今、光信号処理装置４は、誤り検出部１５、１６から出力される誤り検出結果がともに「正常」状態で、ラインＬ１状態変化保持部３１およびラインＬ２状態変化保持部３２の出力がともに「０」であり、切替部２２にてラインＬ１側が選択された状態にあると仮定する。この状態で、ラインＬ１側およびラインＬ２側の双方において光入力瞬断が同時に生じて、誤り検出部１５、１６から出力される誤り検出結果がともに「正常」状態から「誤り検出」状態へ遷移すると、ラインＬ１状態変化保持部３１およびラインＬ２状態変化保持部３２にて保持されている値がともに「０」から「１」に変化し、タイマー部３３が起動する。このとき、両方のラインで「誤り検出」状態となっているため、切替制御部３６からの切替制御信号に変化は生じない。
【００５１】
タイマー部３３が起動すると、タイマー部３２が起動し、そのカウント動作はタイマー部３３が停止するまで行われる。図５の例では、ラインＬ１側およびラインＬ２側ともに光入力瞬断が断続的に発生し、タイマー部３３が上限値に到達するに前に、切替制御部３６からの切替制御信号に変化が生じるため、タイマー部３３は切替制御信号が変化する度に再起動される。このタイマー部３３の再起動は、稼動状態からの再起動であり、カウント値が「０」に戻るだけで、タイマー部３３は停止することなく稼動状態を維持する。このため、タイマー部３２ではカウントが進み、Ｐの時点でカウント値が上限値（ｍ）に達する。
【００５２】
タイマー部３２にてカウント値が上限値に達すると、ラインＬ１状態変化保持部３１およびラインＬ２状態変化保持部３２がともに「０」を保持するとともに、切替状態保持部３５が、切替部２２による現在の切替状態を保持し、その保持した切替状態をアラーム収集／制御部１９に出力する。同時に、タイマー部３３が動作を停止し、そのカウント値が「０」に戻る。タイマー部３３の動作が停止すると、タイマー部３２も動作を停止し、そのカウント値が「０」に戻る。
【００５３】
上述した動作によれば、光入力瞬断が多発して、カウント値が上限値に達する前にタイマー部３３が再起動された場合でも、一定時間（タイマー部３２のカウント値が上限値に達する時間）おきに、現在の切替状態が監視制御装置５へ報告される。よって、ネットワークの保守者は、現在の切替状態を正確に把握することができる。なお、タイマー部３３のカウント値のみで切替状態の報告を制限すると、そのような切替状態の報告を行うことはできないため、回線の切替状態を正確に把握することができない。
【００５４】
（他の実施形態）
図１に示した光伝送システムにおいて、光信号処理装置１、３の間は０系の経路を、光信号処理装置３、４の間は伝送路６ａを、光信号処理装置２、４の間は０系の経路をそれぞれ経由して信号が伝送される場合を考える。光信号処理装置１、３間の０系の経路に障害が発生した場合、光信号処理装置３はその障害を検出して、伝送路６ａのラインＬ２および伝送路６ｂのラインＬ１の双方にＡＩＳを送出した後、入力信号を１系信号に切り替えて、１系信号を伝送路６ａのラインＬ２および伝送路６ｂのラインＬ１の双方に送出する。伝送路６ｂの伝送路長は伝送路６ａより短いため、ラインＬ１上に送出されたＡＩＳがラインＬ２上に送出されたＡＩＳより先に光信号処理装置４に到達する。光信号処理装置４では、現在ラインＬ２側が選択されているため、ラインの切り替えは行われない。その後、伝送路６ａのラインＬ２を介してＡＩＳが受信されると、伝送路６ｂのラインＬ１側からの信号を選択するように切り替えられる。
【００５５】
上記の切り替え動作では、切り戻しの動作が行われないために、伝送路６ｂのラインＬ１側への切替報告のみがなされることとなる。このため、この切替報告を受けたネットワークの保守者は、伝送路６ａのラインＬ２側に何か障害が生じたと考えて、伝送路６ａのラインＬ２の現在の状態を確認する、といった本来行う必要のない処理を行うこととなる。
【００５６】
本他の実施形態における光信号処理装置は、上記のような切り戻しの動作が行われない状態において、強制的に切り戻しの動作を行うように構成されている。その光信号処理装置の構成を図６に示す。
【００５７】
図６に示す光信号処理装置は、図３に示した構成において、切戻制御部３７を追加した構成になっている。図６中、図３に示した構成と同じものには、同じ符号を付し、ここでは、それらについての具体的な動作の説明は省略する。
【００５８】
切戻制御部３７には、誤り検出部１５、１６からラインＬ１、Ｌ２の誤り検出状態が、タイマー部３２、３３からそれぞれのタイマーのカウント状態が、切替状態保持部３５から切替状態がそれぞれ入力されている。切戻制御部３７は、切替状態保持部３５からの切替状態に基づいて、誤り検出部１５、１６のいずれが現在選択しているライン側のものであるか否かを判断することができる。また、切戻制御部３７は、現在選択しているラインとは反対のライン側の誤り検出部の検出結果が「正常」状態から「誤り検出」状態へ遷移した後、現在選択しているライン側の誤り検出部の検出結果が「正常」状態から「誤り検出」状態へ遷移してタイマー部３３がカウントアップした場合にのみ、切り戻しを強制的に行うための切戻制御信号を切替制御部３６に送出する。切替制御部３６は、切戻制御部３７から切戻制御信号を受け取ると、現在選択しているライン側の誤り検出部の検出結果が「正常」状態から「誤り検出」状態へ遷移した際に切り替えたラインを元のラインに切り替える旨の切替制御信号を切替部２２に送出する。これ以外の動作は、図３で示したものの動作と同じである。
【００５９】
図７に、切戻制御部３７による切り戻し動作の一例を示す。以下、図１、２、６および７を参照して切り戻し動作を具体的に説明する。ここでは、光信号処理装置４において、伝送路６ａのラインＬ２側が選択されている状態で、ＡＩＳを伝送路６ｂのラインＬ１および伝送路６ａのラインＬ２のそれぞれで受信した場合の切り戻し動作を例に説明する。
【００６０】
伝送路６ｂの伝送路長は伝送路６ａより短いため、光信号処理装置４では、まず、選択していたラインとは反対のラインＬ１上に送出されたＡＩＳが到達し、誤り検出部１５の検出結果が「正常」状態から「誤り検出」状態へ遷移する。この場合は、切替制御部３６の出力（Ｌ２側選択した状態）に変化は生じない。また、切戻制御部３７も、切替状態保持部３５からの切替状態に基づいて、誤り検出部１５は現在選択しているライン側のものではないと判断し、切替制御部３６に対して切戻制御信号の送出は行わない。誤り検出部１５の検出結果が「誤り検出」状態になったことで、タイマー部３３が起動してカウントが開始される。
【００６１】
続いて、選択していたラインＬ２上に送出されたＡＩＳが到達すると、光信号処理装置４では、誤り検出部１６の検出結果が「正常」状態から「誤り検出」状態へ遷移する。この場合は、切替制御部３６は、切替部２２に対してラインＬ１側を選択する旨の切替制御信号を送出する。誤り検出部１６の出力が「誤り検出」状態になったことで、タイマー部３３のカウント値が０にリセットされて、カウントが再開される。
【００６２】
タイマー部３３のカウント値が上限値に達すると、まず、切戻制御部３７が、切り戻しを行うための切戻制御信号を切替制御部３６に送出する。切替制御部３６は、切戻制御部３７から切戻制御信号を受け取ると、切替部２２に対してラインＬ２側を選択する旨の切替制御信号を送出する。この切替制御信号は切替状態保持３５にも供給されており、切替状態保持３５は、その供給された切替制御信号から切替部２２における現在の切替状態を判断してそれを保持し、その保持した切替状態をアラーム収集／制御部１９に出力する。
【００６３】
上述した本他の実施形態において、切戻制御部３７は、誤り検出部１５、１６の検出結果が共に「正常」状態から「誤り検出」状態に遷移、または、共に「誤り検出」状態から「正常」状態に遷移し、かつ、ラインＬ１状態変化保持部３１およびラインＬ２状態変化保持部３２が共に“１”となった場合に、切替制御部３６に対して切替状態保持部３５にて保持している方向に切り戻すように切戻制御信号を出力する。これ以外の場合は、切戻制御部３７は切戻制御信号の送出を行わないため、切替状態保持部３５は、切替制御部３６からの切替制御出力を保持し、その保持した状態をアラーム収集および制御部１９に出力する。
【００６４】
以上説明した各実施形態は一例であり、その構成は発明の趣旨を逸脱しない範囲で適宜変更することができる。例えば、他の実施形態の構成において、タイマー部３３と同じ動作をする、上限値がタイマー部３３の上限値より小さくなるように設定された別のタイマー部を設け、この別のタイマー部の出力をタイマー部３３に代えて切戻制御部３７に供給するようにしてもよい。この場合は、タイマー部３３のカウントアップ前に切り戻しが行われることになる。
【００６５】
また、本発明は、図８に示したようなリング伝送路を介して複数のＡＤＭが接続されるような伝送システムにも適用することができる。
【００６６】
【発明の効果】
以上説明したように、本発明によれば、同一のＡＩＳを現用系通信路および予備系通信路の双方で受信した場合の切り替え、切り戻しの動作に伴う切替報告が制限されるので、ネットワークの保守者に対して、不要な切替通知をなくすことができる。
【００６７】
また、短い間隔で受信経路の切り替えが多発した場合でも、一定時間が経過すると、現在の切替状態が報告されるので、ネットワークの保守者は、現在の切替状態を正確に把握することができる。
【図面の簡単な説明】
【図１】本発明の一実施形態である光伝送システムの概略構成を示すブロック図である。
【図２】図１に示す光伝送システムに適用される、無瞬断切替機能を備える光信号処理装置の一構成例を示すブロック図である。
【図３】図２に示す光信号処理装置の切替制御処理部の具体的な構成を示すブロック図である。
【図４】図３に示す切替制御処理部の動作を説明するためのタイムチャート図である。
【図５】図３に示す切替制御処理部の動作を説明するためのタイムチャート図である。
【図６】図１に示す光伝送システムに適用される、無瞬断切替機能を備える他の光信号処理装置の一構成例を示すブロック図である。
【図７】図７に示す切替制御処理部の動作を説明するためのタイムチャート図である。
【図８】特開平６−３２６７２２号公報に記載のＲＩＮＧ構成を示すブロック図である。
【符号の説明】
１〜４  光信号処理装置
５  監視制御装置
６  リング伝送路
６ａ、６ｂ  伝送路
１０、１１、２４  光信号処理部
１２、１３  クロスコネクト部
１４  切替制御処理部
１５、１６  誤り検出部
１７、１８  マルチフレーム検出部
２０、２１  メモリ部
２２  切替部
３０  発振器
３１  ラインＬ１状態変化保持部
３２、３３  タイマー部
３４  ラインＬ２状態変化保持部
３５  切替状態保持部
３６  切替制御部
３７  切戻制御部
１００〜４００  ＡＤＭ
Ｌ１、Ｌ２  ライン
【図１】
2004343503.tif 000003
【図２】
2004343503.tif 000004
【図３】
2004343503.tif 000005
【図４】
2004343503.tif 000006
【図５】
2004343503.tif 000007
【図６】
2004343503.tif 000008
【図７】
2004343503.tif 000009
【図８】
2004343503.tif 000010